(57)【要約】【課題】      大形タイルのコンクリート躯体への施工作業を短時間で簡単かつ確実に行うことができる金具と工法を提供することを目的とする。【解決手段】  受け金具は、全体が長方形に成り中間部が若干弯形１’する板材１において、中央上端部に躯体取付け孔２を設け、中央部に水平に切り起した自重受け片３を設け、中央下端部にタイル側のインサートナット６への螺子挿入長孔４を設けて成る。前記受け金具を使用する施工法は、前記長方形の板材をタイル１２と一体に成るプレート１３の上端部裏面に取付け、弾性接着剤１０・・を前記プレート裏面部に塗布し、前記プレートを下地面に揉み込むように押し込み下部分から貼付け、前記板材の躯体取付け孔２にビス５を通しモルタル下地及びコンクリート躯体に装着し、前記板材の自重受け片上に上部のタイル及びプレートを載置し、最後に上下のタイル間の板材の自重受け片下部分に柔軟目地材を充填する。【選択図】    図３
2007138468.tif 000002
【特許請求の範囲】
【請求項１】
全体が長方形に成り中間部が若干弯形する板材において、中央上端部には躯体取付けのビス孔を設け、中央部に水平に切り起した自重受け片を設け、中央下端部にはタイル側に設けるインサートナットへの螺子挿入長孔を設けて成ることを特徴とするタイル受け具。
【請求項２】
長方形に成る板材をタイルと一体に成るプレートの上端部裏面に取付け、弾性接着剤を前記プレートの裏面に団子状に塗布し、前記プレートを下地面に揉み込むように押し込み下部分から貼付け、前記板材の躯体取付け孔にビスを通してモルタル下地及びコンクリート躯体に装着し、しかる後に、その上側方の板材の自重受け片上に上部のタイル及びプレートを載置し、最後に上下のタイル間に板材の自重受け片下部分に柔軟目地材を充填することを特徴とするタイル内外壁施工法。 
【発明の詳細な説明】
【技術分野】
【０００１】
本発明は、タイルのうち、比較的大形のタイルを用いた内外壁施工法及びその施工に使用するタイル受け具に関するものである。
【背景技術】
【０００２】
わが国において従来、大形タイルを用いた内外壁面の施工法としては、次の３つの工法があげられる。
【０００３】
第１は、Ｌ形金具を割付けにしたがい予めコンクリート躯体にビスで固定し、裏面に弾性接着剤を塗布した大形タイルを前記Ｌ形金具に載置しながら圧着する自重受け金具を使用する工法である。
【０００４】
第２は、大形タイルの裏面に引き金具を取付け、割付けにしたがってコンクリート躯体にビスで固定する躯体を結束する引き金具を使用する工法である。
【０００５】
第３は、Ｌ形金具を割付けにしたがって予めコンクリート躯体にビスで固定し、弾性接着剤を塗布した大形タイルをＬ形金具に載置し、引き金具をビスで躯体に固定する自重受け金具と躯体に固定する引き金具を併用した工法である。
【０００６】
また、特許文献としては、次のようなものがあげられる。
【０００７】
【特許文献１】特開２０００−２９１２３２号公報
【特許文献２】特開２００５−１３９６６９号公報
【発明の開示】
【発明が解決しようとする課題】
【０００８】
そこで、本発明は、前記第３の施工法を改良し、施工作業を短時間で簡単かつ確実安全に行うことができる金具及び工法を提供することを目的とする。
【課題を解決するための手段】
【０００９】
本発明に係る受け金具は、全体が長方形に成り中間部が若干弯形する板材において、中央上端部には躯体取付けのビス孔を設け、中央部に水平に切り起した自重受け片を設け、中央下端部にはタイル側に設けるインサートナットへの螺子挿入長孔を設けて成るものである。
【００１０】
前記受け金具を使用する施工法は、まず長方形に成る板材をタイルと一体に成るプレートの上端部裏面に取付け、専用ガンに弾性接着剤のフィルムパックを装着して前記プレートの裏面に団子状に塗布し、前記プレートを下地面に揉み込むように押し込み下部分から貼付け、前記板材の躯体取付け孔にビスを通してモルタル下地及びコンクリート躯体に装着し、しかる後に、その上側方の板材の自重受け片上に上部のタイル及びプレートを載置し、最後に上下のタイル間に板材の自重受け片下部分に柔軟目地材を充填する。
【発明の効果】
【００１１】
前記従来工法との差異及び効果を示すと、次のとおりである。
【００１２】
第１工法に対しては、コンクリート躯体との固定によって安全性を増大することができる。
【００１３】
第２工法に対しては、自重受けがあるため、安全性が増すとともに目地の位置決めを容易にできる。
【００１４】
第３工程に対しては、自重受け金具の取付けと引き金具の取付けとを一度の作業で迅速に行うことができる。
【実施例】
【００１５】
本発明の施工法において用意する受け金具の構成は、次のとおりである。（図1参照）
【００１６】
１は全体が長方形状に成り、中間部が若干弯形１'する板材で、この板材をキャッチクリップと称する。
【００１７】
２は前記板材１の中央上端部に設けた躯体取付孔で、この取付孔にはビス５を挿着する。
【００１８】
３は前記板材１の中央部に切り起して水平に曲折した自重受け片で、その長さは約８ｍｍである。
【００１９】
この自重受け片の許容耐力を、図６に基いて説明する。
【００２０】
まず、検討条件は次のとおりである。
1：材質  ＳＵＳ３０４
2：長期荷重と仮定
3：荷重点までの距離    L＝6.5ｍｍ（仮定）
4：負荷荷重  Ｐｏ＝5ｋｇｆ
【００２１】
また、検討断面の曲げ剪断許容抵抗耐力の算定式は次のとおりである。
検討断面の曲げ剪断許容抵抗耐力の算定
検討断面の断面積      Ａ＝1.0×15.0＝15.0ｍｍ2
検討断面の断面係数    Ｚ＝1.02×15/6＝2.5ｍｍ2
【数１】
2007138468.tif 000003
【００２２】
４は前記板材１の中央下端部に設けた長孔で、大形タイル側に設置するインサートナット６に対し前記長孔４を介してトラス螺子７を螺着する。
【００２３】
８はコンクリート躯体、９は不陸構築モルタル下地である。
【００２４】
１０は弾性接着剤、１１は柔軟目地材である。
【００２５】
１２は大形タイルで、このタイルの周囲にプレート１３を一体に形成する。
【００２６】
次に、前記受け金具を使用する施工法は、まず長方形に成る板材をタイルと一体に成るプレートの上端部裏面に取付け、専用ガンに弾性接着剤のフィルムパックを装着して前記プレートの裏面に団子状に塗布し、前記プレートを下地面に揉み込むように押し込み下部分から貼付け、前記板材の躯体取付け孔にビスを通してモルタル下地及びコンクリート躯体に装着し、しかる後に、その上側方の板材の自重受け片上に上部のタイル及びプレートを載置し、最後に上下のタイル間に板材の自重受け片下部分に柔軟目地材を充填する。（図２〜図５参照）
【図面の簡単な説明】
【００２７】
【図１】要部の分離斜視図
【図２】使用時の側断面図
【図３】施工時の要部の側面図
【図４】施工時の全体の正面図
【図５】図４のＡ−Ａ線切断部断面図
【図６】許容耐力説明図
【符号の説明】
【００２８】
１                    板材
２                    躯体取付孔
３                    自重受け片
４                    挿入長孔
５                    ビス
６                    インサートナット
７                    トラス螺子
８                    コンクリート躯体
９                    不陸構築モルタル下地
１０                  弾性接着剤
１１                  柔軟目地材
１２                  大形タイル
１３                  プレート
【図１】
2007138468.tif 000004
【図２】
2007138468.tif 000005
【図３】
2007138468.tif 000006
【図４】
2007138468.tif 000007
【図５】
2007138468.tif 000008
【図６】
2007138468.tif 000009